(57)【要約】【課題】他人の設定操作を使用者の設定により禁止することができ、使用者が設定した内容が該使用者以外の人に変更されることを確実に回避できるようにする。【解決手段】表示装置の電源が投入される時に、例えば外部メモリ１１からデータを読み出し、表示装置１００が初期状態であるか否かを判断し、初期状態であると判断される場合、初期設定メニューを表示し、使用者は本体キー操作部またはリモコンを用いて画面上に表示される選択肢を選択することで設定を行う。設定を変更する際に、まず使用者確認を行い、その確認結果に基づいて、設定操作可能モードまたは設定操作禁止モードに移行するようになされる。他人の設定操作を使用者本人の設定により禁止することができる。【選択図】        図１
2005043721.tif 000002
【特許請求の範囲】
【請求項１】
画像信号に基づいて表示部に画像を表示する表示装置において、
上記表示部の機能調整項目を設定する第１の設定手段と、
上記第１の設定手段を操作可能または操作禁止に設定する第２の設定手段と、
上記第１および第２の設定手段により設定された内容を記憶する記憶手段と、
設定を変更する際に、上記第２の設定手段で設定を行った使用者本人か否かを確認する確認手段と、
上記確認手段の確認結果に基づいて、上記第１の設定手段を操作可能または操作禁止にするように制御する制御手段と
を備えることを特徴とする表示装置。
【請求項２】
電源投入時、出荷後の初回起動であるか否かを判断する判断手段をさらに備え、
予め上記記憶手段に上記第１の設定手段の操作を禁止する情報を記憶しておき、
電源投入時、上記判断手段により出荷後の初回起動であると判断される場合に、上記第１の設定手段を操作可能または操作禁止に設定する設定メニューが表示される
ことを特徴とする請求項１に記載の表示装置。
【請求項３】
時間を計測する計時手段をさらに備え、
上記第２の設定手段により第１の設定手段を操作禁止に設定した場合、上記他の使用者が上記第１の設定手段で上記機能調整項目を設定することができると共に、上記制御手段により所定時間ごとに上記機能調整項目の設定値を上記他の使用者が設定した設定値から元の設定値に戻すように制御する
ことを特徴とする請求項１に記載の表示装置。
【請求項４】
上記確認手段は、キー入力のパスワードまたはＣＣＤカメラの画像を用いて使用者本人か否かを確認する
ことを特徴とする請求項１に記載の表示装置。
【請求項５】
画像信号に基づいて表示部に画像を表示する表示装置の設定制御方法であって、
第１の設定手段により上記表示部の機能調整項目を設定する第１の設定ステップと、
第２の設定手段により上記第１の設定手段を操作可能または操作禁止に設定する第２の設定ステップと、
上記第１および第２の設定ステップで設定された内容を記憶する記憶ステップと、
設定を変更する際に、上記第２の設定ステップで設定を行った使用者本人か否かを確認する確認ステップと、
上記確認ステップの確認結果に基づいて、上記第１の設定手段を操作可能または操作禁止にするように制御する制御ステップと
を備えることを特徴とする設定制御方法。
【発明の詳細な説明】
【技術分野】
【０００１】
この発明は、画像信号に基づいて表示部に画像を表示する表示装置およびその設定制御方法に関する。詳しくは、第２の設定手段により表示部の機能調整項目を設定する第１の設定手段を操作可能または操作禁止に設定し、第１および第２の設定手段により設定された内容を記憶して、設定を変更する際に、第２の設定手段で設定を行った使用者本人か否かを確認し、その確認結果に基づいて、第１の設定手段を操作可能または操作禁止にするように制御することによって、他の使用者による設定変更を禁止することができるため、使用者本人が設定した内容が他の使用者に変更されることを確実に回避できるようにした表示装置等に係るものである。
【背景技術】
【０００２】
テレビジョン受像機、ＰＣのモニター、プロジェクタ等の表示装置は、近年画質及び音質の向上のためのデバイスの調整および使用するユーザの趣向に応じた細かな設定項目をメモリに記憶することで他社の商品の差別化を図っている。概ね設定項目はセット本体の表示画面上に表示機能（On Screen Display  以下「ＯＳＤ」と言う）によりグラフィカルなキャラクターによるメニュー項目を表示し、使用者は予め設定されている項目を変更したい際には画面のＯＳＤ表示を見ながら本体のキーまたはリモコンを操作し設定項目を調整、変更し記憶することを促される。
【０００３】
また近年、衛星放送、ケーブルＴＶ、デジタル放送の開始に伴い電子番組ガイド（EPG: Electrical Program Guide）等もＯＳＤで表示され、ユーザはＥＰＧを見ながら番組の予約や情報をリモコンや本体キーを操作して使用することが可能となり、ますます画面表示による設定は使用者にとって必要不可欠なものとなっている。
【０００４】
しかし、このような表示装置では、リモコンや本体キーで簡単に誰でも操作が可能なため、該表示装置の使用者以外の人でも操作が可能であり、簡単に設定を変更することが可能である。
【０００５】
例えば、使用者が表示装置を操作した後、使用者以外の人が操作して設定を変更したことをもし使用者が知らない場合、装置の故障と誤解する可能性がある。
【０００６】
また例えば、表示装置は商品として店頭の展示されている際に、複数の使用者がいることが想定され、第一の使用者が操作し設定変更した後では、第２の使用者は該表示装置の初期設定とはかけ離れた設定でこの表示装置を使用する可能性が高くなり、本来の性能を確認することができなくなる。
【０００７】
このような問題を解決するために、画面調整用の操作部を隠しスイッチにすることにより悪戯を防止した表示装置を提案されている（例えば、特許文献１参照）。
【０００８】
この場合、表示装置の表示画面に透明タッチパネルを貼付し、この透明タッチパネルの通常は機能表示されていない所定の位置を手指でタッチすることにより、表示画面にこの透明タッチパネルの機能を表す文字または記号を表示し、この表示された文字または記号の位置を手指でタッチすることにより、該文字または記号に対応する機能で動作するようになされる。これにより、この操作手順を知っている調整者以外の人に悪戯されないようにしている。
【０００９】
【特許文献１】特開２０００−２４２４３２号公報（第２頁、第１，３図）
【発明の開示】
【発明が解決しようとする課題】
【００１０】
上述した従来の表示装置では、表示装置の使用者以外の人でも簡単に設定を変更することが可能であるため、表示装置本来の性能を確認することができなくなる問題がある。また、使用者が設定した内容が他人のいたずら操作などによって失われてしまうという問題がある。
【００１１】
また、特許文献１のような表示装置は、透明タッチパネルを装着することが必要となり、装置のコストアップの問題がある。また、透明タッチパネルの操作手順が知らない人に対して効果があるが、この操作手順が一旦知られた場合、その効果がなくなる。
【００１２】
そこで、この発明は、他人の設定操作を使用者の設定により禁止することができ、使用者が設定した内容が該使用者以外の人に変更されることを確実に回避できるようにした表示装置およびその設定制御方法を提供することを目的とする。
【課題を解決するための手段】
【００１３】
この発明に係る表示装置は、画像信号に基づいて表示部に画像を表示する表示装置において、表示部の機能調整項目を設定する第１の設定手段と、該第１の設定手段を操作可能または操作禁止に設定する第２の設定手段と、第１および第２の設定手段により設定された内容を記憶する記憶手段と、設定を変更する際に、第２の設定手段で設定を行った使用者本人か否かを確認する確認手段と、確認手段の確認結果に基づいて、第１の設定手段を操作可能または操作禁止にするように制御する制御手段とを備えるものである。
【００１４】
例えば、表示装置の出荷時に予め記憶手段に上記第１の設定手段の操作を禁止する情報を記憶しておき、初期の電源投入時に、第１の設定手段を操作可能または操作禁止にする設定メニューを表示されるようになされる。
【００１５】
また例えば、時間を計測する計時手段をさらに備え、第２の設定手段により第１の設定手段を操作禁止に設定した場合、他の使用者が第１の設定手段で機能調整項目を設定できると共に、制御手段により所定時間ごとに機能調整項目の設定値を他の使用者が設定した設定値から元の設定値に戻すように制御する。
【００１６】
また例えば、確認手段は、キー入力のパスワードまたはＣＣＤカメラの画像を用いて使用者本人か否かを確認するようになされる。
【００１７】
この発明に係る設定制御方法は、画像信号に基づいて表示部に画像を表示する表示装置の設定制御方法であって、第１の設定手段により表示部の機能調整項目を設定する第１の設定ステップと、第２の設定手段により第１の設定手段を操作可能または操作禁止に設定する第２の設定ステップと、第１および第２の設定ステップで設定された内容を記憶する記憶ステップと、設定を変更する際に、第２の設定ステップで設定を行った使用者本人か否かを確認する確認ステップと、確認ステップの確認結果に基づいて、第１の設定手段を操作可能または操作禁止にするように制御する制御ステップとを備えるものである。
【００１８】
この発明においては、第２の設定手段により表示部の機能調整項目を設定する第１の設定手段を操作可または操作不可に設定し、第１および第２の設定手段により設定された内容を記憶して、設定を変更する際に、第２の設定手段で設定を行った使用者本人か否かを確認し、その確認結果に基づいて、第１の設定手段を操作可能または操作禁止にするように制御する。これにより、他の使用者による設定変更を禁止することができるため、使用者本人が設定した内容が他の使用者に変更されることを確実に回避することが可能となる。
【００１９】
また、例えばキー入力のパスワードまたはＣＣＤカメラの画像を用いて使用者本人か否かを確認するため、他の使用者が簡単に操作禁止の設定を解除できない。
【発明の効果】
【００２０】
この発明によれば、第２の設定手段により表示部の機能調整項目を設定する第１の設定手段を操作可または操作不可に設定し、第１および第２の設定手段により設定された内容を記憶して、設定を変更する際に、第２の設定手段で設定を行った使用者本人か否かを確認し、その確認結果に基づいて、第１の設定手段を操作可能または操作禁止にするように制御するものであり、他の使用者による設定変更を禁止することができるため、使用者が設定した内容が他の使用者に変更されることを確実に回避できる。
【００２１】
また、従来のように透明タッチパネル等のハードウェアを付加することがなく、低コストで他の使用者の設定操作を禁止することが実現できる。
【発明を実施するための最良の形態】
【００２２】
以下、図面を参照しながら、この発明の実施の形態について説明する。図１は、実施の形態としての表示装置１００の構成を示す図である。ここで、表示装置１００は、テレビジョン受像機である。
【００２３】
図１に示すように、表示装置１００は、チューナ回路１と、映像信号抽出回路２と、音声信号再生回路３と、スピーカ４と、映像信号再生回路５と、ＯＳＤ（On Screen Display）回路６と、ＯＳＤ重畳回路７と、表示デバイス８と、制御部９と、操作部１０と、外部メモリ１１とから構成されている。
【００２４】
チューナ回路１は、図示しないアンテナから送られてきた受信信号（ＢＳ−ＩＦ信号）から目的の放送信号を選択し、さらに増幅処理などを行って出力する回路である。
【００２５】
映像信号抽出回路２は、チューナ回路１から入力された信号を音声信号と映像信号に分離する回路である。この映像信号抽出回路２から得られた音声信号は音声信号再生回路３に入力され、音声信号再生回路３で再生してスピーカ４へ出力する。また、映像信号抽出回路２から得られた映像信号は映像信号再生回路５に入力される。
【００２６】
映像信号再生回路５は、映像信号抽出回路２から入力された映像信号を同期分離、Ｙ／Ｃ分離、色復調などの処理を行った後、輝度信号Ｙ，青色差信号ＣB，赤色差信号ＣRに変換してＯＳＤ重畳回路７へ出力する。
【００２７】
ＯＳＤ回路６は、ＯＳＤ画像信号の発生・処理を行う回路であり、制御部９の制御により、表示デバイス８の画面上に選局チャンネル、音量、さらには後述する機能設定項目を設定するためのメニュー（以下、「設定メニュー」という）等を表示するためのＯＳＤ画像信号を生成してＯＳＤ重畳回路７に供給する。
【００２８】
ＯＳＤ重畳回路７は、映像信号再生回路５から出力されたＹ，ＣB，ＣR信号とＯＳＤ回路６からのＯＳＤ画像信号との重畳処理を行い、表示用画像信号を得る回路である。
【００２９】
表示デバイス８は、例えば画像表示用ＣＲＴ（Cathode-Ray Tube）からなり、ＯＳＤ重畳回路７より送られてきた画像信号を画面上に表示するするようになされる。なお、表示デバイス８には、例えば、液晶パネル、ＥＬディスプレイ（Electroluminescence display）などを用いてもよい。
【００３０】
制御部９は、周知のようにＣＰＵ、ＲＯＭ、ＲＡＭ（図示せず）を有している。ＣＰＵはＲＯＭに記憶された制御プログラム情報に従って、ＲＡＭ（図示せず）をワークエリアとして使用しながら、表示装置１００の全体の動作を制御する。
【００３１】
また、この制御部９は、設定を変更する際に、第２の設定手段で設定を行った使用者本人か否かを確認する確認手段、および該確認手段の確認結果に基づいて、第１および第２の設定手段を操作可または操作不可にするように制御する制御手段としても機能する。
【００３２】
また、この制御部９は、電源投入時、出荷後の初回起動であるか否かを判断する判断手段としても機能する。さらに、設定変更後の使用時間を計測する計時手段としても機能する。
【００３３】
この制御部９は、表示装置１００の初期起動する際に、即ち最初に電源を投入した（電源オン）後、外部メモリ１１に記憶されている情報基づいて表示装置１００が初期状態であるか否かを判断する。初期状態ではない場合、使用者が設定された状態に移行する。また、初期状態である場合、初期設定メニューを表示し、使用者により設定操作可能に設定すると、外部メモリ１１の情報を書き換え、設定操作可能モードに移行するように制御する。
【００３４】
操作部１０は、本体キー操作部かリモートコントローラ（以下単に「リモコン」という）もしくはその両方を有している。本体キー操作部およびリモコンには、例えば、チャンネル指定用操作キーと、カーソル操作用アップダウン（UP/DOWN）キーと、選択した設定条件を確定する操作を行うための操作手段としてのENTERキーと、MENUキーとが配置されている。使用者は、カーソル操作用UP/DOWNキーとENTERキーを用いて上述の設定メニューから所定の項目を選択し、その選択を確定できる。また、所定の項目に設定値を入力することができる。
【００３５】
この操作部１０と上述した制御部９とから第１の設定手段および第２の設定手段を構成する。機能設定する際に、本体キー操作部またはリモコンを用いて画面上に表示される設定メニューから機能設定項目を選択し所定値に設定することができる。また、上述の機能設定操作の許可（可能）または不許可（禁止）を設定する際に、本体キー操作部またはリモコンを用いて画面上に表示される設定メニューから「設定操作可能」または「設定操作禁止」を選択し、その選択を確定することで設定を行う。
【００３６】
次に、図２および図３を用いて、図１に示す表示装置１００の電源投入時の動作について説明する。図２は、電源投入時の動作例を示すフローチャートである。図３は、初期設定画面の表示例を示す図である。
【００３７】
まず、ステップＳ１１で、電源ＯＮか否かを判断する。ここで、電源が投入される（電源オン）と判断された場合、ステップＳ１２へ進む。ステップＳ１２で、例えば外部メモリ１１からデータを読み出す。次に、ステップＳ１３で、表示装置１００が初期状態であるか否かを判断する。ここで、初期状態ではないと判断された場合には、動作を終了する。一方、初期状態であると判断される場合には、次のステップＳ１４で、図３に示すような初期設定メニューを表示する。図３に示すように、初期設定メニューでは「設定操作可能に設定するか」に対して「ＹＥＳ」と「ＮＯ」の２つの選択肢が表示されている。使用者は表示装置１００の本体キー操作部またはリモコンを用いて画面上に表示される設定メニューから「ＹＥＳ」または「ＮＯ」を選択することで設定を行う。この例では、「ＹＥＳ」が選択された状態を示している。
【００３８】
次に、ステップＳ１５で、設定操作可能に設定したか否かを判断する。例えば、使用者が「ＹＥＳ」を選択した場合には、ステップＳ１６で、メモリ情報、例えば予め設定された設定操作禁止の情報を書き換える。そして、ステップＳ１７で、設定操作可能モードに移行して、初期電源投入時の動作を終了する。一方、使用者が「ＮＯ」を選択した場合、即ちステップＳ１５で、設定操作可能に設定されなかったと判断された場合には、ステップＳ１８で、設定操作禁止モードに移行して、初期電源投入時の動作を終了する。この場合、表示装置１００は予め設定された設定操作禁止状態（設定操作禁止モード）のままになる。
【００３９】
次に、図４および図５を用いて、図１に示す表示装置１００の設定変更時の動作について説明する。図４は、設定変更時の動作例を示すフローチャートである。図５は、設定メニューの表示例を示す図である。
【００４０】
表示装置１００において、設定変更する際に、まずステップＳ２１で、使用者確認画面を表示する。ここで、例えばパスワードを入力する画面が表示される。使用者は表示装置１００の本体キー操作部またはリモコンを用いてパスワードを入力すると、ステップＳ２２で、パスワード確認を行う。ここで、使用者が入力されたパスワードを外部メモリ１１に記憶されている予め登録されたパスワードと比べる。
【００４１】
次に、ステップＳ２３で、使用者が入力されたパスワードは外部メモリ１１に記憶されているパスワードと一致したか否かを判断する。パスワードが不一致の場合には、ステップＳ２９へ進む。ステップＳ２９で設定操作不可モードに移行する。一方、パスワードが一致した場合には、ステップＳ２４で、設定操作可モードに移行する。
【００４２】
次に、ステップＳ２５で、図５に示すような設定メニューを表示する。図５に示すように、輝度、コントラスト、色相等の機能設定項目が表示されている。また、「設定操作可能」および「設定操作禁止」の選択肢も表示されている。この場合、輝度、コントラスト、色相等の機能設定項目と「設定操作可能」、「設定操作禁止」の選択肢を同一の画面に表示されているが、上述の機能設定項目と「設定操作可能」、「設定操作禁止」の選択肢を別画面で表示するようにしてもよい。
【００４３】
次に、ステップＳ２６で、機能設定を行う。ここで、使用者が表示装置１００の本体キー操作部またはリモコンを用いて輝度、コントラスト、色相等の機能設定を行う。そして、設定操作のモードを選択する。この場合、使用者が表示装置１００の本体キー操作部またはリモコンを用いて画面上に表示される選択肢から「設定操作可能」または「設定操作禁止」を選択し、その選択を確定することで設定を行う。
【００４４】
次に、ステップＳ２７で、設定操作禁止に設定されたか否かを判断する。設定操作禁止に設定された場合には、ステップＳ２８で、外部メモリ１１の機能設定項目に関する情報の書き換えを行う。そして、ステップＳ２９で、設定操作禁止モードに移行して、動作を終了する。なお、ステップＳ２７で、設定操作禁止に設定されていないと判断された場合には、ステップＳ３０で、外部メモリ１１の機能設定項目および設定操作モードに関する情報の書き換えを行う。そして、ステップＳ３１で、設定操作可能モードに移行して、動作を終了する。
【００４５】
このように本実施の形態においては、電源が投入される時、例えば外部メモリ１１からデータを読み出し、表示装置１００が初期状態であるか否かを判断し、初期状態であると判断される場合、初期設定メニューを表示し、使用者は本体キー操作部またはリモコンを用いて画面上に表示される選択肢を選択することで設定操作可能または設定操作禁止を設定する。また、設定を変更する際に、まず使用者確認を行い、その確認結果に基づいて、設定操作可能モードまたは設定操作禁止モードに移行するようになされる。
【００４６】
これにより、他の使用者による設定変更を禁止することができるため、使用者本人が設定した内容が他の使用者に変更されることを確実に回避することができる。
【００４７】
また、例えばキー入力のパスワードまたはＣＣＤカメラの画像を用いて使用者本人か否かを確認するため、他の使用者が簡単に操作禁止の設定を解除できない。
【００４８】
また、従来のように透明タッチパネル等のハードウェアを付加することがなく、低コストで他の使用者の設定操作を禁止することが実現できる。
【００４９】
その結果、例えば、装置販売時に、店頭において客が設定を操作し、商品出荷時の調整値とかけ離れた値にしたまま放置されることを未然に防ぎ、本来の出荷時の設定で客に装置の性能を見せることが可能となる。
【００５０】
なお、上述実施の形態においては、表示装置１００がテレビジョン受像機である場合について説明したが、これに限定されるものではない。テレビジョン受像機以外の表示装置、例えば、コンピュータのモニタ、モバイル機器等表示装置にもこの発明を適用できる。
【００５１】
また、上述実施の形態においては、設定操作許可、禁止に関する選択肢は、「設定操作可能」、「設定操作禁止」のような選択肢を用いたが、これに限定されるものではない。例えば、「設定操作禁止：ＯＮ／ＯＦＦ」のような選択肢を用いてもよい。
【００５２】
また、上述実施の形態においては、使用者確認にはパスワードを用いたが、これに限定されるものではない。例えば、表示装置１００にＣＣＤカメラ等の画像取り込み手段を配置し、該ＣＣＤカメラ等の画像取り込み手段で使用者本人の画像登録を行い、外部メモリ１１に記憶し、表示装置１００を使用する際に、再度ＣＣＤカメラ等の画像取り込み手段で画像を取り込み、予め登録した画像と照合し一致した場合、設定操作を可能にするようにしてもよい。
【００５３】
また、上述実施の形態においては、使用者が設定操作禁止を設定した後、他の使用者により設定変更が禁止される場合について説明したが、これに限定されるものではない。例えば、使用者が設定操作禁止を設定した場合、他の使用者が第１の設定手段で機能調整項目を設定することができると共に、制御手段により所定時間ごとに機能調整項目の設定値を元の設定値に戻すようにしてもよい。
【００５４】
この場合、表示装置１００には時間を計測する計時手段をさらに備え、第２の設定手段により第１の設定手段を操作禁止に設定した場合、他の使用者が第１の設定手段で機能調整項目を設定することができ、所定時間になったと判断されたとき、外部メモリ１１から元の設定値を読み出し、他の使用者が設定された設定値から元の設定値に戻すようになされる。
【産業上の利用可能性】
【００５５】
この発明に係る表示装置およびその設定制御方法は、使用者が設定した内容が該使用者以外の人に変更されることを回避できるテレビジョン受像機、ＰＣモニターおよびプロジェクタ等の表示装置に適用して好適なものとなる。
【図面の簡単な説明】
【００５６】
【図１】実施の形態の表示装置の構成例を示す図である。
【図２】電源投入時の動作例を示すフローチャートである。
【図３】初期設定画面の表示例を示す図である。
【図４】設定変更時の動作例を示すフローチャートである。
【図５】設定メニューの表示例を示す図である。
【符号の説明】
【００５７】
１・・・チューナー回路、２・・・映像信号抽出回路、３・・・音声信号再生回路、４・・・スピーカ、５・・・映像信号再生回路、６・・・ＯＳＤ回路、７・・・ＯＳＤ重畳回路、８・・・表示デバイス、９・・・制御部、１０・・・操作部、１１・・・外部メモリ、１００・・・表示装置
【図１】
2005043721.tif 000003
【図２】
2005043721.tif 000004
【図３】
2005043721.tif 000005
【図４】
2005043721.tif 000006
【図５】
2005043721.tif 000007